【事件の表示】
　特許第３０９８５１８号「地点検索装置」の請求項１、２に係る特許に対する特許異議の申立てについて、次のとおり決定する。
【結　論】
　訂正を認める。
　特許第３０９８５１８号の請求項１、２に係る特許を取り消す。
【理　由】
１．手続の経緯
　本件特許第３０９８５１８号（以下、「本件特許」という。）は、特願昭６０−２９５５２５号（昭和６０年１２月２６日出願、以下、「原原出願」という。）の一部を、平成８年１２月２０日付で、特許法第４４条第１項に規定する新たな特許出願（特願平８−３４１４６１号。以下、「原出願」という。）として出願し、更に、この原出願の一部を、特許法第４４条第１項に規定する新たな特許出願として平成１１年８月３０日付で出願された、特願平１１−２４２８９５号に係り、平成１２年８月１１日にその発明について特許の設定がなされたものであるが、本件特許に対して、亀山照代より、そのすべての請求項である請求項１乃至請求項２に係る特許について特許異議の申立てがなされ、取消しの理由が通知され、その指定期間内である平成１３年１１月６日に訂正請求がなされたものである。
２．訂正の適否についての判断
（１）訂正の内容
ア．訂正事項ａ
　特許請求の範囲の請求項１「第１地点検索項目を有する第１メニューを表示する第１のメニュー表示制御手段と、」を、訂正後の請求項１において「複数の第１地点検索項目を有する第１メニューを表示する第１のメニュー表示制御手段と、」と訂正する。
　これに伴い、明細書の段落番号［０００６］の「第１地点検索項目を有する第１メニューを表示する第１のメニュー表示制御手段と、」を、「複数の第１地点検索項目を有する第１メニューを表示する第１のメニュー表示制御手段と、」と訂正する。
イ．訂正事項ｂ
　特許請求の範囲の請求項１「前記第１の選択手段による選択終了後、第２地点検索項目を有する第２メニューを表示する第２のメニュー表示制御手段と、」を、訂正後の請求項１において「前記第１の選択手段による選択終了後、前記第１メニューを消去すると共に、複数の第２地点検索項目を有する第２メニューを表示する第２のメニュー表示制御手段と、」と訂正する。
　これに伴い、明細書の段落番号［０００６］の「前記第１の選択手段による選択終了後、第２地点検索項目を有する第２メニューを表示する第２のメニュー表示制御手段と、」を、「前記第１の選択手段による選択終了後、前記第１メニューを消去すると共に、数の第２地点検索項目を有する第２メニューを表示する第２のメニュー表示制御手段と、」と訂正し、更に、明細書の段落番号［００４５］の「第２メニューが表示されている状態において、」を、「第１メニュー消去後の第２メニューが表示されている状態において、」と訂正する。
ウ．訂正事項ｃ
　特許請求の範囲の請求項１「前記第２メニューが表示されている状態において、前記第１メニューが表示されている状態に移行することを指示するための操作手段と、」を、訂正後の請求項１において「前記第２メニューが表示されている状態において、前記第２メニューを消去すると共に、前記第１メニューが表示されている状態に移行することを指示するための操作手段と、」と訂正する。
　これに伴い、明細書の段落番号［０００６］の「前記第２メニューが表示されている状態において、前記第１メニューが表示されている状態に移行することを指示するための操作手段と、」を、「前記第２メニューが表示されている状態において、前記第２メニューを消去すると共に、前記第１メニューが表示されている状態に移行することを指示するための操作手段と、」と訂正する。
エ．訂正事項ｄ
　特許請求の範囲の請求項１「行政区域」を、訂正後の請求項１において「都道府県」と訂正する。
　これに伴い、明細書の段落番号［０００６］の「行政区域」を、「都道府県」と訂正し、更に、明細書の段落番号［００４５］の「地図上の領域としての行政区域と、」を、「地図上の領域としての都道府県と、」と訂正する。
オ．訂正事項ｅ
　特許請求の範囲の請求項１「施設の種類」を、訂正後の請求項１において「名所及び施設の種類」と訂正する。
　これに伴い、明細書の段落番号［０００６］の「施設の種類」を、「名所及び施設の種類」と訂正し、更に、明細書の段落番号［００４５］の「地点の種別としての施設のいずれをも選択することができるので、」を、「地点の種別としての名所及び施設のいずれをも選択することができるので、」と訂正する。
（２）訂正の目的の適否、新規事項の有無及び拡張・変更の存否
　上記訂正事項ｂ及び訂正事項ｃは、明りょうでない記載の釈明を目的とした明細書の訂正に該当する。
　また、上記訂正事項ａ、訂正事項ｄ及び訂正事項ｅは、それぞれ、特許請求の範囲の減縮を目的とした明細書の訂正と、特許請求の範囲の訂正に付随して生じる記載の不備を解消するものであって、明りょうでない記載の釈明を目的とした明細書の訂正とに該当する。
　そして、いずれも新規事項の追加に該当せず、実質上特許請求の範囲を拡張し、又は変更するものではない。
（３）むすび
　以上のとおりであるから、上記訂正は、特許法第１２０条の４第２項及び同条第３項において準用する同法第１２６条第２項及び第３項の規定に適合するので、当該訂正を認める。
　
３．特許異議の申立てについての判断
（１）本件発明
　上記２．で示したように、上記訂正が認められるから、本件の請求項１に記載された発明は、上記訂正に係る訂正明細書の特許請求の範囲の請求項１（以下、訂正後の請求項１という場合もある。）に記載されたものであるが、訂正後の請求項１に記載された第１のメニューと第２のメニューについて、訂正後の請求項１にはそれら２つのメニューの間に階層関係のあることが規定されていないから、請求項１に記載された発明は、階層関係にない複数のメニューを用いるものを包含するものであるが、原出願の願書に最初に添付された明細書又は図面及び原原出願の願書に最初に添付された明細書又は図面に記載された複数のメニューを用いた検索は、互いに階層関係にある複数のメニューを用いたもののみであり、階層関係にない複数のメニューを用いた検索について何ら記載されておらず、自明ということもできないので、請求項１に記載された発明は、原出願の願書に最初に添付された明細書又は図面に記載された事項、及び原原出願の願書に最初に添付された明細書又は図面に記載された事項、のいずれの範囲内のものではない。
　以上のとおりであるので、本件特許の出願日は、原原出願の出願日にも、原出願の現実の出願日にもそ及するとみなすことができないから、その現実の出願日である平成１１年８月３０日と認めるとともに、本件特許の請求項１乃至２に係る発明は、上記訂正に係る訂正明細書の特許請求の範囲の請求項１乃至２に記載された事項により特定される次のとおりのものと認める。
「【請求項１】複数の第１地点検索項目を有する第１メニューを表示する第１のメニュー表示制御手段と、前記第１メニューの中から所望の第１地点検索項目を選択する第１の選択手段と、前記第１の選択手段による選択終了後、前記第１メニューを消去すると共に、複数の第２地点検索項目を有する第２メニューを表示する第２のメニュー表示制御手段と、前記第２メニューの中から所望の第２地点検索項目を選択する第２の選択手段と、前記第２メニューが表示されている状態において、前記第２メニューを消去すると共に、前記第１メニューが表示されている状態に移行することを指示するための操作手段と、を備え、
　前記第１メニュー又は前記第２メニューのいずれか一方が地図上の領域としての都道府県を選択するためのメニューであって、他方が地点の種別としての名所及び施設の種類を選択するメニューであることを特徴とする地点検索装置。
　【請求項２】請求項１に記載の地点検索装置において、
　選択された第１地点検索項目と選択された第２地点検索項目に属する複数の第３地点検索項目を有する第３メニューを表示する第３のメニュー表示制御手段と、前記第３メニューの中から所望の第３地点検索項目を選択する第３の選択手段と、前記第３の選択手段により選択された第３地点検索項目に該当する地点が存在する地図を表示する地図表示制御手段を、更に備えることを特徴とする地点検索装置。」
　
（２）引用例に記載された発明
　当審が通知した取消の理由において引用した特公平８−２３４９８号公報（以下、引用例という。）は、原原出願の特許出願公告公報であって、第１の段階を、地図上の領域としての都道府県、第２の段階を、地点種別としての名所、駅、役所等のカテゴリー、第３の段階を、地図上の領域としての広島、東広島、呉等の地名というように地名情報を３段階に区分し、各段階を順次表示して全段階の区分が指定されることにより地図上の１つの地点が特定されるものが記載されている。（公報第８欄８行乃至１５行の記載参照。）
　また、図面５及びそれに関連した説明において、各段階の各種表示方法と、それを用いた地点検索装置の発明が記載されている。（公報第８欄１６行乃至第９欄１７行の記載参照。）
　そして、これらの記載事項から、引用例には、都道府県を選択するためのメニューに対する他方のメニューが、地点種別としての名所、駅、役所等のカテゴリーを指定するメニューである点を除いて、本件特許の請求項１乃至２に係る発明とそれぞれ対応する同一の発明（以下、それぞれ、引用例に記載された発明１乃至引用例に記載された発明２という。）が記載されていると認められる。
　
（３）当審の判断
　上記（２）で認定したとおり、本件特許の請求項１乃至２に係る発明と引用例に記載された発明１乃至２の相違点は、都道府県を選択するためのメニューに対する他方のメニューが、本件特許の請求項１乃至２に係る発明では地点の種別としての名所及び施設の種類を選択するメニューであるのに対して、引用例に記載された発明１乃至２では、地点種別としての名所、駅、役所等のカテゴリーを指定するメニューである点であるので、この点について、検討する。
　引用例に記載された発明１乃至２においてカテゴリーの一つとして例示されている名所以外の駅及び役所は施設の一種であるから、引用例に記載された発明１乃至２においても、都道府県を選択するためのメニューに対する他方のメニューを地点の種別としての名所及び施設の種類を選択するメニューとすることは、当業者が容易になし得たことと認められる。
　
（４）むすび
  以上のとおりであるので、本件特許の請求項１乃至２に係る発明は、引用例に記載された発明に基づいて、本件特許出願前に、当業者が容易になし得たものであるから、本件特許の請求項１乃至２に係る発明の特許は、特許法第２９条第２項の規定に違反してなされたものである。
　したがって、本件特許の請求項１乃至２に係る発明の特許は、特許法第１１３条第２号に該当し、取り消されるべきものである。
　
　よって、結論のとおり決定する。
【異議決定日】
平成１４年１１月１２日（２００２．１１．１２）
【訂正の要旨】
審決（決定）の【理由】欄参照。
（５４）【発明の名称】
地点検索装置
（５７）【特許請求の範囲】
　【請求項１】　
複数の
　前記第１メニューの中から所望の第１地点検索項目を選択する第１の選択手段と、
　前記第１の選択手段による選択終了後、
前記第１メニューを消去すると共に、複数の
　前記第２メニューの中から所望の第２地点検索項目を選択する第２の選択手段と、
　前記第２メニューが表示されている状態において、
前記第２メニューを消去すると共に、
　を備え、
　前記第１メニュー又は前記第２メニューのいずれか一方が地図上の領域としての
都道府県
名所及び
　【請求項２】　請求項１に記載の地点検索装置において、
　選択された第１地点検索項目と選択された第２地点検索項目に属する複数の第３地点検索項目を有する第３メニューを表示する第３のメニュー表示制御手段と、
　前記第３メニューの中から所望の第３地点検索項目を選択する第３の選択手段と、
　前記第３の選択手段により選択された第３地点検索項目に該当する地点が存在する地図を表示する地図表示制御手段を、
　更に備えることを特徴とする地点検索装置。
【発明の詳細な説明】
　【０００１】
　【産業上の利用分野】
　本発明は表示装置に地図を表示して車両を目的地に誘導する車両ナビゲーション装置に関する。
　【０００２】
　【従来の技術】
　最近ＣＤ−ＲＯＭ等に地図情報を記録しておき、その地図情報を読み出して、車両の現在地とともに表示装置に表示させ、車両を所定の目的地に誘導する車両ナビゲーション装置が研究、開発されている。斯かる従来の装置における目的地の設定は、操作者が表示装置に表示した地図を見ながら目的地を捜し出し、その位置にカーソルをセットすることにより行われていた。
　【０００３】
　【発明が解決しようとする問題点】
　しかしながら、このように地図を見ながら目的地を設定するようにすると、その目的地たる地点の位置を知らないような場合、表示装置に表示された地名を一々確認しながら当該地点の地名を捜し出さなければならず、時間がかかる欠点があった。
　【０００４】
　また、表示装置の画面は特に車両に装着する場合然程大きくすることができないので、車両ナビゲーション装置においては余り多くの地名を地図上に表示することが困難である。
　【０００５】
　従って、地点の地名は判っていてもそれがどこに位置するのか判らないような場合は車両ナビゲーション装置を利用することが困難であった。
　【０００６】
　【問題点を解決するための手段】
　上記の問題点を解決するために、請求項１に記載の発明は、
複数の
前記第１メニューを消去すると共に、複数の
前記第２メニューを消去すると共に、
都道府県
名所及び
　【０００７】
　また、請求項２に記載の発明は、請求項１に記載の発明において、選択された第１地点検索項目と選択された第２地点検索項目に属する複数の第３地点検索項目を有する第３メニューを表示する第３のメニュー表示制御手段と、前記第３メニューの中から所望の第３地点検索項目を選択する第３の選択手段と、前記第３の選択手段により選択される第３地点検索項目に該当する地点が存在する地図を表示する地図表示制御手段を、更に備えることを特徴とする。
　【０００８】
　【実施例】
　次に本発明に好適な実施例を図面に基づいて説明する。
　【０００９】
　第１図は本発明に係る車両ナビゲーション装置のブロック図である。同図において１は記録媒体或いは記憶媒体としてのＣＤ−ＲＯＭ（そのドライブ装置を含む）でありディジタル化された地図情報が記録されている。ＣＤ−ＲＯＭ１からのデータはインターフェース２、アドレスバス３、データバス４等を介してメモリ（ＲＡＭ）５に記憶されるようになっている。６はインフォメーションプロセッサ（ＣＰＵ）であり、種々の画像データ処理を行うとともに、キーボード１２、そのインターフェース１３を介して入力される指令に対応して周辺機器の制御も行うようになっている。７は地磁気等から車両の方位を検知する方位センサ、８は車両の速度を検出する速度センサである。９はＧＰＳ（Ｇｌｏｂａｌ　Ｐｏｓｉｔｉｏｎｉｎｇ　Ｓｙｓｔｅｍ）装置であり、緯度、経度情報等から車両の現在位置を検出する。１０はナビゲーションプロセッサ（ＣＰＵ）であり、方位センサ７、速度センサ８等のデータの補正や、それらのデータから車両の移動量を演算したり、またＧＰＳ装置９が緯度、経度情報を検出できない場合等に、設定入力されたデータから現在位置を演算する。あるいはまた設定入力された現在地をＧＰＳ装置９からの情報に対応して補正処理する。プロセッサ１０とプロセッサ６とは相互にデータの送受が可能になっている。１１はこれらのプロセッサ６、１０のプログラムその他必要な情報を記憶するＲＯＭ、１４は各回路、手段、装置等に必要なタイミング信号を供給するコントロールロジックである。
　【００１０】
　１５はグラフィックディスプレイコントローラ（ＧＤＣ）であり、メモリ５から必要なデータを読出し、メモリ（ＶＲＡＭ）１６、１７に所定の画像を描画する。１８はメモリ１６、１７のうち一方からのデータを選択し、パラレル信号からシリアル信号に変換するパラレル／シリアル（Ｐ／Ｓ）変換回路である。１９は色変換回路としてのカラーパレットレジスタであり、Ｐ／Ｓ変換回路１８から供給される映像信号中の３ビットの色信号を、予め指定された５ビットの色信号に変換する。色信号が変換された映像信号はメモリ（ＶＲＡＭ）２０に、さらにメモリ２０からメモリ（ＶＲＡＭ）２１に転送され、メモリ２１に記憶された映像信号が赤（Ｒ）、緑（Ｇ）、青（Ｂ）の３原色各々のＤ／Ａ変換回路２６、２７、２８によりディジタル信号からアナログ信号に変換され、ＣＲＴ等の表示装置２９に表示される。尚図示はしていないが表示装置２９の画面の前面には透明電極等よりなるタッチセンサが設けられている。
　【００１１】
　２４は同期信号発生回路であり、相互に同期した水平同期信号（ＨＳＹＮＣ）と、垂直同期信号（ＶＳＹＮＣ）と、ドットクロック（ＤＣＫ）を発生し、レジスタ１９、メモリ２０、２１のアドレス等を設定するアドレスカウンタ２３、２５等に出力している。２２はオフセットレジスタであり、メモリ１６、１７に記憶された画像のうちメモリ２０に転送する部分のオフセット位置を設定する。３０乃至３７は各々所定位置に挿入されたバッファである。
　【００１２】
　一方、第２図はキーボード１２の構成を示している。同図に示す如く、各操作キーは表示装置２９の外周に配置されている。５１はナビゲーション動作を実行するとき操作されるナビゲーション（ＮＡＶＩ）キー、５２は表示装置２９に操作の説明画像を出力するとき操作されるヘルプ（！）キーである。５３はガイド（ＧＵＩＤＥ）キーであり、駐車場、ホテル、ガソリンスタンド等のシンボルを地図上に表示するとき操作される。５４は目的地（ＤＥＳＴ）キーであり、目的地を設定するとき操作される。５５はセット（ＳＥＴ）キーであり、表示装置２９に表示されたカーソルにより指定された項目や、地図上の位置を登録するとき操作される。５６はキャンセル（ＣＡＮＣＥＬ）キーであり、限られた所定の画面において操作すると、画面が１つ前の画面に戻るようになっている。５７は縮小キー、５８は拡大キーであり、各々表示装置２９に表示された地図を縮小又は拡大するとき操作される。５９はスクロールキーであり、上下、左右にカーソルを移動させるとき各々キー５９ａ乃至５９ｄが操作される。６０はテキスト（ＴＥＸＴ）キーであり、車両の走行に関係する情報を表示するとき操作される。以上の各キーが操作された場合におけるプログラムはプロセッサ６により管理されている。
　【００１３】
　一方、コンパクトディスクプレーヤを動作させるとき操作されるＣＤキー６１、テレビジョン放送を受信するとき操作されるＴＶキー６２、ＡＭ又はＦＭ放送を受信するとき操作されるＡＭ，ＦＭキー６３、再生音のイコライズ特性を予め定められた特性の中から選択するとき操作されるサウンドセレクト（ＳＯＵＮＤＳＥＬ）キー６４、再生音を瞬時にミューティングするミューティングキー６５、再生音の大きさを調整するボリウム６６、空調装置を運転するとき操作される空調（Ａ／Ｃ）キー６７が設けられ、図示せぬＣＰＵによって所定の動作が実行されるようになっている。
　【００１４】
　しかしてその動作を説明する。
　【００１５】
　先ず最初にナビゲーションキー５１が操作された場合における基本的動作について説明する。方位センサ７、速度センサ８、ＧＰＳ装置９等の情報からプロセッサ１０は車両の現在地を演算し、検出する。この情報に対応してプロセッサ６はＣＤ−ＲＯＭ１から現在地を含む地図を読出し、メモリ５に記憶させる。ＣＤ−ＲＯＭ１には複数の縮尺の地図が記録されており、メモリ５には現在地を含む各縮尺の地図が記憶される。プロセッサ６はコントローラ１５を制御し、メモリ５に記憶された地図のうち所定の縮尺のデータをメモリ１６又は１７に書き込ませる。メモリ１６、１７は一方が表側（データがメモリ２０に転送されている方）、他方が裏側（データがメモリ２０に転送されておらず、コントローラ１５により新たなデータが書き込まれる方）とされている。表側と裏側は交互に切り換えられ、コントローラ１５による書き込みは常にメモリ２０にデータを送出していない裏側に行われる。
　【００１６】
　プロセッサ６はさらにコントローラ１５を制御しプロセッサ１０からの現在地信号に対応してメモリ１６、１７の表側に自車マークを描画させる。
　【００１７】
　コントローラ１５によりメモリ１６、１７に描画された地図は、自車マークを中心とする所定の範囲内のデータが、パラレル／シリアル変換回路１８によりパラレルデータからシリアルデータに変換され、さらにその色信号がカラーパレットレジスタ１９により高階調度の色信号に変換されてメモリ２０に転送される。メモリ１６、１７に描画された地図のうちどの部分が転送されるかはオフセットレジスタ２２とアドレスカウンタ２３を介してプロセッサ６により指定される。
　【００１８】
　プロセッサ６はまたＣＤ−ＲＯＭ１に記録されている例えば交差点等の写真を画像として直接メモリ２０に描画できるようになっている。このようにメモリ２０に書き込まれた画像はさらにメモリ２１に転送され、最終的にメモリ２１に記憶された画像がＤ／Ａ変換回路２６、２７、２８を介して表示装置２９に出力表示される。
　【００１９】
　次に、本発明に係わる動作について詳説する。
　【００２０】
　先ず、目的地（ＤＥＳＴ）キー５４を操作した場合の動作を説明する。目的地キー５４が操作されたとき、プロセッサ６は例えば第４図に示すように、地図に重畳して、セットメニューを表示装置２９の所定位置（図においては下辺の近傍）に表示させる。すなわち表示装置２９の下辺近傍に、ガイドセットの文字と地名セットの文字が表示される。
　【００２１】
　表示装置２９の前面にはタッチセンサが配置してあり、各文字の表示位置を指等で触れるとそれが検知される。従ってガイドセット、地名セットのいずれが選択されたかが判るようになっている。いま地名セットが選択されたものとすると、表示装置２９においてセットメニューが消去されるとともに、第５図に（ｂ）に示すように地名情報が表示される。勿論そのためＣＤ−ＲＯＭ１には道路、鉄道、海岸線等を表示する地図情報だけでなく、地名情報も記録されている。
　【００２２】
　地名情報は複数の段階（本実施例においては３段階）に区分されており、全段階の区分が指定されることにより地図上の１つの地点が特定されるようになっている。各段階をどのように定めるかは任意であるが、例えば第１の段階を、地図上の領域としての都道府県、第２の段階を、地点種別としての名所、駅、役所等のカテゴリー、第３の段階を、地図上の領域としての広島、東広島、呉等の地名とすることができる。
　【００２３】
　地名セットが選択されたとき初期状態として第５図（ｂ）に示すように第１の段階と第２の段階が表示されるようになされている。この初期状態において第１の段階としてどこの都道府県を表示させるか、また第２の段階として何のカテゴリーを表示させるかも任意であるが、例えば第１の段階として広島県、第２の段階として駅というカテゴリーを表示させる。表示装置２９において各段階の地名情報が表示される領域は各々定められている。すなわち第１の段階の地名情報は最も左側の領域Ａに、第３の段階の地名情報は最も右側の領域Ｃに、第２の段階の地名情報は領域Ａと領域Ｃの間の領域Ｂに、各々表示されるようになっている。第５図（ｂ）に示すように、初期状態においては第１の段階としての県は領域Ａに１つのみが表示されている。このことは第１の段階の選択は既に終了していることを意味している。
　【００２４】
　一方、第２の段階としてのカテゴリーは領域Ｂに表示可能なだけ表示されている。これにより第２の段階としてのカテゴリーが未だ選択されておらず、選択する必要があることが操作者に知らされる。
　【００２５】
　ここでもし目的地が広島県以外のときはスクロールキー５９ｃを操作する。すると領域Ｂのカテゴリーの表示が消え、領域Ａに表示可能なだけ都道府県の名称が表示される。この状態においてスクロールキー５９ａ又は５９ｂを操作すると、カーソル（第５図中斜線を施した部分）は画面略中央で停止したままであるが、領域Ａの表示が上下に移動する。そこで所望の都道府県をその名称をカーソル内に位置させるようにして選択する。
　【００２６】
　このようにして第１の段階の選択が終了した後（例えば広島県を選択した後）、スクロールキー５９ｄを操作すると第５図（ｂ）に示すような状態になる。すなわち領域Ａにおける表示は選択された広島県だけとなり、領域Ｂに多くのカテゴリーが表示される。従って、領域Ａの選択が終了した後もそこに多くの都道府県名をそのまま表示しておく場合に較べ、選択すべき領域が明確になり、操作性が良好となる。さらにこの場合もスクロールキー５９ａ、５９ｂを操作してカテゴリーを上下に移動させ、所望のカテゴリーをその名称をカーソル内に位置させることにより選択する。
　【００２７】
　例えばカテゴリーとして駅を選択し、さらにスクロールキー５９ｄを操作すると、表示装置２９の画面は第５図（ｃ）に示すようになる。すなわち領域ＡとＢには既に選択された広島県と駅のみが表示され、領域Ｃには多くの地名が表示される。この場合もさらにスクロールキー５９ａ、５９ｂを操作して地名を上下に移動させ、所望の地名をその名称をカーソル内に位置させることにより選択する。
　【００２８】
　例えば地名として広島を選択し、さらにセットキー５５を操作すると、広島県の広島駅が目的地としてメモリ５にセットされる。するとプロセッサ６はＣＤ−ＲＯＭ１からこの目的地を含む地図をメモリ５乃至メモリ２１に順次ロードし、表示装置２９に表示される。このとき地図上に目的地のマークも同時に表示される。
　【００２９】
　以上の動作をプロセッサ６に行わせる場合のフローチャートは例えば第３図に示すようになる。その詳述は上述した場合と同様であるので省略するが、このフロー中のステップにおけるポインタは、各段階においてカーソル内に表示すべき名称を特定するためのものであり、初期状態においてセットされるものが０とされ（上述した実施例においては広島県のポインタと駅のポインタが各々０とされ）、以下ポインタを１つ増加又は減少させることにより名称が上下にスクロールされることになる。またレベルは３段階の地名情報のいずれを表示するかを特定するものであり、レベル０のときは県、レベル１のときは県とカテゴリー、レベル２のときは県、カテゴリー及び地名が、各々表示される。
　【００３０】
　第６図は地名情報をＣＤ−ＲＯＭ１に記録する場合のデータの構成例を示している。すなわち例えば２バイトからなる領域に収録された県の数をヘッダとしてその後に任意の長さの複数の県データが順次配置されている。
　【００３１】
　各県データは２バイトの県番号と、８バイトの県名と、２バイトのカテゴリー数と、任意の長さの複数のカテゴリーデータから構成されている。
　【００３２】
　各カテゴリーデータは２バイトのカテゴリー番号と、８バイトのカテゴリー名と、２バイトの地名数と、任意の長さの複数の地名データより構成されている。
　【００３３】
　各地名データは２バイトの地名番号と、１６バイトの地名と、その座標（ｘ，ｙ）とから構成される。
　【００３４】
　尚地名情報は地図に重畳して表示してもよいが、必ずしも地図に重畳して表示する必要はない。検索可能なデータとして記録されており、検索されたとき地図上のその地点に所定のマークが表示されるようになされておればよい。勿論本発明は目的地を設定する場合だけでなく、単に所定の位置を地名から検索する場合にも応用することが可能であるから、そのマークは必ずしも目的地としてのマークである必要はない。
　【００３５】
　【効果】
　以上説明したように、請求項１に記載の発明によれば、
第１メニュー消去後の
都道府県
名所及び
　【００３６】
　また、請求項２に記載の発明によれば、選択される第３地点検索項目が第１地点検索項目、第２地点検索項目とともに表示されるので、多様なカテゴリーにより所望の地点を検索することができる。
【図面の簡単な説明】
　【図１】
　本発明に係る車両ナビゲーション装置のブロック図である。
　【図２】
　本発明に係る車両ナビゲーション装置における表示装置とキーボードの平面図である。
　【図３】
　本発明に係る車両ナビゲーション装置の動作を示すフローチャートである。
　【図４】
　本発明に係る車両ナビゲーション装置における表示画面の平面図（Ｉ）である。
　【図５】
　本発明に係る車両ナビゲーション装置における表示画面の平面図（ＩＩ）である。
　【図６】
　本発明に係る車両ナビゲーション装置におけるデータの構成の説明図である。
　【符号の説明】
　１…ＣＤ−ＲＯＭ
　２、１３…インターフェイス
　５、１６、１７、２０、２１…メモリ
　６…インフォメーションプロセッサ
　７…方位センサ
　８…速度センサ
　９…ＧＰＳ装置
　１０…ナビゲーションプロセッサ
　１１…ＲＯＭ
　１２…キーボード
　１５…グラフィックディスプレイコントローラ
　１８…パラレル／シリアル変換回路
　１９…カラーパレットレジスタ
　２２…オフセットレジスタ
　２３、２５…アドレスカウンタ
　２４…同期信号発生回路
　２６、２７、２８…Ｄ／Ａ変換回路
　２９…表示装置